【手続補正書】
【提出日】令和1年8月9日(2019.8.9)
【手続補正１】
【補正対象書類名】明細書
【補正対象項目名】００７３
【補正方法】変更
【補正の内容】
【００７３】
本明細書で説明された任意のフィルム、システム、又は方法の様々な特徴は、文脈が明白に異なるように示さない限り、他のフィルム、システム、及び方法に適用されることを理解されたい。図の要素の説明は、特に指示のない限り、他の図の対応する要素に等しく適用されるものと理解すべきである。本明細書において具体的な実施形態を図示し説明したが、本開示の範囲を逸脱することなく、図示及び説明された具体的な実施形態を、様々な代替的かつ／又は均等な実現形態で置き換えることができることが、当業者には認識されるであろう。本出願は、本明細書において説明した具体的な実施形態のいかなる適合例又は変形例をも包含することを意図している。したがって、本開示は、特許請求の範囲及びその均等物によってのみ限定されるものとする。本発明の実施態様の一部を以下の項目［１］−［２０］に記載する。
［項目１］
光学フィルムの連続ウェブを提供することであって、前記光学フィルムは、長手方向に沿った長さ及び横断方向に沿った幅を有し、前記光学フィルムは光軸を有し、前記光軸の向きは前記光学フィルムの前記幅にわたって変化する、ことと、
前記光学フィルムの前記長さに沿った少なくとも１つの位置の各々について、前記光学フィルムの前記幅に沿った複数の位置における前記光軸の前記向きを決定することと、
少なくとも１つの表示を前記光学フィルムの表面に適用することであって、前記少なくとも１つの表示は、前記光学フィルムの前記幅に沿った前記複数の位置における前記光軸の前記向きを記録している、こととを含む方法。
［項目２］
前記光学フィルムが、偏光子、リターダー、及びプリズムフィルムのうちの１つ以上を含む、項目１に記載の方法。
［項目３］
前記光学フィルムが、反射型偏光子及び吸収型偏光子のうちの少なくとも１つを含む、項目１に記載の方法。
［項目４］
前記光学フィルムが、前記反射型偏光子及び前記吸収型偏光子を含み、前記反射型偏光子が第１のブロック軸を有し、前記吸収型偏光子が第２のブロック軸を有し、前記反射型偏光子及び前記吸収型偏光子は、前記第１のブロック軸と前記第２のブロック軸とが実質的に平行になるように向きを決められる、項目３に記載の方法。
［項目５］
前記少なくとも１つの表示の中の表示を読み取って、向きのデータを得ることと、
前記光学フィルムの少なくとも１つの領域を切り取ることであって、前記少なくとも１つの領域の中の各領域が、前記向きのデータに基づいて向きを決められる、こととを更に含む、項目１に記載の方法。
［項目６］
光学フィルムの連続ウェブを提供することであって、前記光学フィルムは、長手方向に沿った長さ及び横断方向に沿った幅を有し、前記光学フィルムは光軸を有し、前記光軸の向きが前記光学フィルムの前記幅にわたって変化し、前記光学フィルムは少なくとも１つの表示を有し、前記少なくとも１つの表示は、前記光学フィルムの複数の箇所における前記光軸の前記向きを記録している、ことと、
前記少なくとも１つの表示の中の表示を読み取り、その表示から、前記光学フィルムの前記複数の箇所のうち１つ以上の箇所における前記光軸の前記向きを決定することと、
製品に取り入れるために切り取られる前記光学フィルムの複数の領域のマップを生成し、このとき各領域の向きが前記領域の前記光軸の前記向きと整合されるようにすることと、を含む方法。
［項目７］
前記領域のうちの少なくとも１つを切り取ることを更に含む、項目６に記載の方法。
［項目８］
各領域は、前記領域の前記光軸に対して実質的に平行であるか又は実質的に垂直である前記光学フィルムの面内の対称軸を有する、項目６に記載の方法。
［項目９］
各領域は、前記領域の前記光軸に対して約４５°の向きである前記光学フィルムの前記面内の対称軸を有する、項目６に記載の方法。
［項目１０］
光学フィルムのロールであって、前記光学フィルムは、長手方向に沿った長さ及び横断方向に沿った幅を有し、前記光学フィルムは光軸を有し、前記光軸は前記光学フィルムの前記幅にわたって変化する向きを有し、前記光学フィルムは１つ以上の表示を含み、前記１つ以上の表示は、前記光学フィルムの複数の箇所における前記光軸の前記向きを記録している、光学フィルムのロール。
［項目１１］
前記１つ以上の表示が、前記光学フィルムの縁部に近接する複数の表示を含む、項目１０に記載の光学フィルムのロール。
［項目１２］
前記複数の表示の中の各表示が、前記表示に近接する前記光学フィルムの前記長さに沿った箇所の、前記光学フィルムの前記幅にわたる複数の箇所における前記光軸の前記向きを記録する、項目１１に記載の光学フィルムのロール。
［項目１３］
光学フィルムの連続ウェブを受け入れるように構成された受け入れデバイスと、
前記受け入れデバイスによって受け入れられた前記光学フィルムの光軸を、横断方向に沿った複数の位置で計測するように構成された計測デバイスと、
前記計測デバイスから光軸データを受け取り、前記光軸データを符号化するように構成されたデータ処理デバイスと、
前記データ処理デバイスから前記符号化された光軸データを受け取り、前記符号化された光軸データを用いて前記光学フィルムにラベルを付けるように構成された記録デバイスとを含む、システム。
［項目１４］
前記計測デバイスが複数の偏光計を含む、項目１３に記載のシステム。
［項目１５］
前記記録デバイスが、前記符号化された光軸データを含む表示を印刷するように構成される、項目１３に記載のシステム。
［項目１６］
光学フィルムの連続ウェブを受け入れるように構成された受け入れデバイスと、
前記受け入れデバイスから受け取られた前記光学フィルム上の表示を読み取るように構成された読み取りデバイスと、
前記読み取りデバイスからデータを受け取り、そのデータから、前記光学フィルムの複数の箇所における前記光学フィルムの光軸の向きを決定するように構成された処理デバイスであって、前記光学フィルムの複数の領域のマップを生成するように更に構成され、このとき各領域の向きが前記領域の前記光軸の前記向きと整合されるようにする、処理デバイスとを含む、システム。
［項目１７］
光軸を有する光学フィルムであって、前記光学フィルムは、長手方向に沿った長さ及び横断方向に沿った幅を有し、前記光軸は前記光学フィルムの前記幅にわたって変化する向きを有し、前記光学フィルムは複数の表示を含み、前記複数の表示の中の各表示は、前記光学フィルムの前記幅に沿った複数の箇所における前記光軸の前記向きを記録している、光学フィルム。
［項目１８］
前記複数の表示の中の各表示が、前記光学フィルムの縁部に近接して配設される、項目１７に記載の光学フィルム。
［項目１９］
前記複数の表示の中の各表示が、前記表示に近接する前記光学フィルムの前記長さに沿った箇所の、前記光学フィルムの前記幅にわたる複数の箇所における前記光軸の前記向きを記録する、項目１８に記載の光学フィルム。
［項目２０］
項目１７に記載の光学フィルムのロール。
【手続補正２】
【補正対象書類名】特許請求の範囲
【補正対象項目名】全文
【補正方法】変更
【補正の内容】
【特許請求の範囲】
【請求項１】
光軸を有する光学フィルムであって、前記光学フィルムは、長手方向に沿った長さ及び横断方向に沿った幅を有し、前記光軸は前記光学フィルムの前記幅にわたって変化する向きを有し、前記光学フィルムは、該光学フィルム上に印刷された複数の表示を含み、前記複数の表示の中の各表示は、前記光学フィルムの縁部に近接して配設され、かつ、前記光学フィルムの前記幅に沿った複数の箇所における前記光軸の前記向きを記録しているバーコードを含む、光学フィルム。